(57)【要約】【課題】製作が容易なメッセージ人形およびメッセージ人形セットを提供する。【解決手段】油状液体、光吸収性強磁性粉、光反射性非磁性粉および沈降防止材を封入した多数のマイクロカプセルを有し、且つ磁石を持つ描画具によって表側から文字等の模様を描画可能で、しかも磁石を持つ消去具によって表側から前記模様を消去可能に構成された磁気ディスプレイシートを、人形に付設する。【選択図】        図１
2004194791.tif 000002
【特許請求の範囲】
【請求項１】
油状液体、光吸収性強磁性粉、光反射性非磁性粉および沈降防止材を封入した多数のマイクロカプセルを有し、且つ磁石を持つ描画具によって表側から文字等の模様を描画可能で、しかも磁石を持つ消去具によって表側から前記模様を消去可能に構成された磁気ディスプレイシートを、人形に付設したことを特徴とするメッセージ人形。
【請求項２】
前記磁気ディスプレイシートは前記人形の外郭の一部を構成していることを特徴とする請求項１記載のメッセージ人形。
【請求項３】
油状液体、光吸収性強磁性粉、光反射性非磁性粉および沈降防止材を封入した多数のマイクロカプセルを有する表書き・表消し可能な磁気ディスプレイシートを付設した人形と、前記磁気ディスプレイシートに表側から文字等の模様を描画可能な磁石を持つ描画具と、前記模様を表側から消去可能な磁石を持つ消去具とを備えることを特徴とするメッセージ人形セット。
【請求項４】
前記磁気ディスプレイシートは前記人形の外郭の一部を構成していることを特徴とする請求項３記載のメッセージ人形。
【請求項５】
前記消去具は、消去の際に前記磁気ディスプレイシートの表面に摺擦される摺擦部を有し、この摺擦部によって、消去の際に消去用の前記磁石が前記磁気ディスプレイシートの表面と所定距離隔たるように構成されていることを特徴とする請求項３または４記載のメッセージ人形セット。
【請求項６】
前記描画具と前記消去具は一体化されており、全体がペン型に構成されていることを特徴とする請求項３〜５いずれか一に記載のメッセージ人形セット。
【請求項７】
消去用の前記磁石は、消去の際にＮ極およびＳ極が前記磁気ディスプレイシートの表面に沿って並ぶように構成されていることを特徴とする請求項３〜６いずれか一に記載のメッセージ人形セット。
【発明の詳細な説明】
【０００１】
【発明の属する技術分野】
本発明は人形および人形セットに関するもので、さらに詳しくは、メッセージ等の伝達のために使用可能な人形および人形セットに係わるものである。
【０００２】
【従来の技術】
従来、光吸収性強磁性粉および光反射性非磁性粉を油状液体中に懸濁状態で封入した多数のマイクロカプセルを有する磁気ディスプレイシートが知られている（例えば、特許文献１）。また、油状液体中には沈降防止材が加えられている。この磁気ディスプレイシートは、磁石を持つ描画具によって表側から文字等の模様を描画可能で、そして、磁石を持つ消去具によって裏側から前記模様を消去可能に構成されている。
すなわち、この磁気ディスプレイシートでは、磁気ディスプレイシートの表面に描画具を擦りつけると、擦りつけた部分におけるマイクロカプセルの中の光吸収性強磁性粉がそのマイクロカプセルの最上部まで引き寄せられ、擦りつけた通りに表側に模様が形成される。また、表側に模様が描かれた磁気ディスプレイシートの裏面に消去具を擦りつけると、擦りつけた部分におけるマイクロカプセルの中の光吸収性強磁性粉がそのマイクロカプセルの最下部まで引き寄せられ、擦りつけた通りに表側の模様が消去される。
以上のように構成された磁気ディスプレイシートと消去具とを人形の腹部に設けたメッセージ人形や、これに描画具を加えたメッセージ人形セットがイギリスにて販売されている（例えば、非特許文献１）。
【０００３】
【特許文献１】
特開２０００−１１８１８９号公報
【非特許文献１】
ＴＯＭＹ  Ｕ．Ｋ．カタログ２００２
【０００４】
【発明が解決しようとする課題】
しかしながら、このメッセージ人形にあっては、消去用磁石を磁気ディスプレイシートの裏側で動かす機構と消去用磁石を動かすスペースを確保することが必要となる。
【０００５】
本発明は、かかる問題点に鑑みなされたもので、製作が容易なメッセージ人形およびメッセージ人形セットを提供することを課題とする。
【０００６】
【課題を解決するための手段】
かかる課題を達成するために、本発明者等は、磁気ディスプレイシートのマイクロカプセルについて研究を行ったところ、油状液体の粘度や沈降防止材の量は光吸収性磁性粉の磁力による挙動や沈降時間を決定する要因であり、油状液体の粘度を低減させたり、沈降防止材の量を低減させることにより、表書きは勿論のこと、表消しもできることを見いだした。そして、表消しをするためには、磁気ディスプレイシートの表面に対して消去用の磁石を離したまま（磁気ディスプレイシートの表面と消去用の磁石との間にクリアランスを形成したまま）で当該磁石を動作させることが有効であることがわかった。
【０００７】
本発明は、かかる知見に基づくものであり、請求項１記載のメッセージ人形は、油状液体、光吸収性強磁性粉、光反射性非磁性粉および沈降防止材を封入した多数のマイクロカプセルを有し、且つ磁石を持つ描画具によって表側から文字等の模様を描画可能で、しかも磁石を持つ消去具によって表側から前記模様を消去可能に構成された磁気ディスプレイシートを、人形に付設したことを特徴とする。
このメッセージ人形によれば、描画具によって磁気ディスプレイシートの表側から文字等の模様を描くことによってメッセージを作成し、不要となったメッセージを消去具によって表側から消去できる。したがって、従来のメッセージ人形とは異なり、磁気ディスプレイシートの裏側に消去用磁石を動かす機構やスペースを確保する必要はなくなる。その結果、製作工程が減少し低コスト化が図れることになる。
【０００８】
請求項２記載のメッセージ人形は、請求項１記載のメッセージ人形において、前記磁気ディスプレイシートは前記人形の外郭の一部を構成していることを特徴とする。ここで「外郭」とは人形の身体のみならず、服飾物をも含む。以下、同様である。
従来のメッセージ人形にあっては、磁気ディスプレイシートに描かれた文字等の模様を消去するには磁気ディスプレイシートの裏面に摺擦するように磁石を動かす必要があることから、枠体に磁気ディスプレイシートに張設することにより、磁気ディスプレイシートの裏面が平面となるように構成していた。これに対して、表消しが可能な磁気ディスプレイシートにあっては、かかる制限はないので、この請求項２のメッセージ人形のように磁気ディスプレイシートで人形の外郭の一部を構成することができる。
その結果、人形の外観を損ねることもないので、興趣性の高いメッセージ人形が実現できる。
【０００９】
請求項３記載のメッセージ人形セットは、油状液体、光吸収性強磁性粉、光反射性非磁性粉および沈降防止材を封入した多数のマイクロカプセルを有する表書き・表消し可能な磁気ディスプレイシートを付設した人形と、前記磁気ディスプレイシートに表側から文字等の模様を描画可能な磁石を持つ描画具と、前記模様を表側から消去可能な磁石を持つ消去具とを備えることを特徴とする。
このメッセージ人形セットによれば、描画具によって磁気ディスプレイシートの表側から文字等の模様を描くことによってメッセージを作成し、不要となったメッセージを消去具によって表側から消去できる。したがって、従来のメッセージ人形とは異なり、磁気ディスプレイシートの裏側に消去用磁石を動かす機構やスペースを確保する必要はなくなる。その結果、製作工程が減少し低コスト化が図れることになる。
【００１０】
請求項４記載のメッセージ人形セットは、請求項３記載のメッセージ人形において、前記磁気ディスプレイシートは前記人形の外郭の一部を構成していることを特徴とする。
このメッセージ人形セットによれば、磁気ディスプレイシートが人形の外郭の一部を構成しているので、人形の外観を損ねることもなく、興趣性の高いメッセージ人形セットが実現できる。
【００１１】
請求項５記載のメッセージ人形セットは、請求項３または４記載のメッセージ人形セットにおいて、前記消去具は、消去の際に前記磁気ディスプレイシートの表面に摺擦される摺擦部を有し、この摺擦部によって、消去の際に消去用の前記磁石が前記磁気ディスプレイシートの表面と所定距離隔たるように構成されていることを特徴とする。
【００１２】
このメッセージ人形セットによれば、磁気ディスプレイシートの表面に摺擦部を摺擦することにより、模様を簡単に消去できる。
【００１３】
請求項６記載のメッセージ人形セットは、請求項３〜５いずれか一に記載のメッセージ人形セットにおいて、前記描画具と前記消去具は一体化されており、全体がペン型に構成されていることを特徴とする。
このメッセージ人形セットによれば、描画具と前記消去具は一体化され、全体がペン型となっているため、取り扱いが容易である。
【００１４】
請求項７記載のメッセージ人形セットは、請求項３〜６いずれか一に記載のメッセージ人形セットにおいて、消去用の前記磁石は、消去の際にＮ極およびＳ極が前記磁気ディスプレイシートの表面に沿って並ぶように構成されていることを特徴とする。
このメッセージ人形セットによれば、消去の際にＮ極およびＳ極が前記磁気ディスプレイシートの表面に沿って並ぶように構成されているので、模様の消去が容易である。
【００１５】
【発明の実施の形態】
（第１の実施形態）
１．全体構成
図１に示すように、第１の実施形態のメッセージ人形セット１はメッセージ人形２、描画具３および消去具４を備えている。そして、このメッセージ人形セット１では、枠体を有しない表書き・表消し可能な磁気ディスプレイシート６がそのまま人形５の腹部に取り付けられている。また、描画具３と消去具４は一体化され、全体がペン型の文具９として構成されている。
【００１６】
２．細部構成
（１）メッセージ人形２
メッセージ人形２は人形５に磁気ディスプレイシート６を取り付けたものである。この場合の人形５は縫いぐるみであってもよいし、木、プラスチックや合成樹脂で構成されているものであってもよい。
また、メッセージ人形２は机等の上に壁に凭せ掛けた状態で設置されるようになっているが、例えば、壁に凭せ掛けることなく机等の上に載置できたり、壁等に吊り下げられるようなものであってもよい。
【００１７】
（２）磁気ディスプレイシート６
磁気ディスプレイシート６は、図２に示すように、光吸収性強磁性粉７ａおよび光反射性非磁性粉７ｂを油状液体中に懸濁状態で封入した多数のマイクロカプセル７を有している。マイクロカプセル７中には沈降防止材も封入されている。この多数のマイクロカプセル７は保護シート８、９によって挟持されている。そして、保護シート８、９の縁部同士は高周波ウェルダ等によって接着されている。ここで、上側の保護シート９は透光性を有している。
この磁気ディスプレイシート６は表書き・表消しが可能となるように、油状液体の粘度および沈降防止材の量等が調整されている。例えば、従来の表書き・裏消しの磁気ディスプレイシートに比べて、油状液体の粘度を低くするとともに、沈降防止材の量を少なくしている。こうすることで、マイクロカプセル７中の磁性粉（光吸収性強磁性粉７ａ）をカプセル中で満遍なく拡散させることができる。そして、描画の際には、光吸収性強磁性粉がマイクロカプセル７中の最上部まで引き付けられないようにしている。
【００１８】
（３）文具９
▲１▼描画具３
図３に示すように、描画具３は描画用の磁石となる芯材３ａを備えている。この場合の磁石としては、特に限定はされないが、ネオジウム・鉄・ボロンの合金で作ったネオジウム系磁石や、サマリウムという希土類元素とコバルトの合金で作った磁石や、プラセオジウムを使った希土類磁石等が使用される。これらの磁石で芯材３ａを構成すれば、細線でも鮮明に表示させることが可能となる。
また、芯材３ａはスプリング３ｂによってペン先方向へ付勢されている。そして、これによって描画の際に磁気ディスプレイシート６に過度の力が作用しないようにされている。
【００１９】
▲２▼消去具４
消去具４は円柱状の磁石４ａを備えている。磁石４ａは軸９ａの後端部に設置されている。また、軸９ａの後端にはカバー９ｂが付設され、磁石４ａが露出しないようにされている。このカバー９ｂは、模様の消去の際に磁気ディスプレイシート６の表面に摺擦されるもので、消去の際に磁石４ａを磁気ディスプレイシート６の表面と所定距離離間させるように機能する。このように構成した理由は下記の通りである。
磁気ディスプレイシート６の表側に形成された模様を消去する場合、図４に示すように、磁気ディスプレイシート６の表面に直交する方向に向かう磁力線ではなく、磁気ディスプレイシート６の表面に沿う磁力線が有効である。つまり、図５（ａ）に示すように所定上部（最上部ではない）まで移動し模様を形成している層を構成する光吸収性強磁性粉７ａを、特に水平方向の磁界によって、同図（ｂ）に示すようにマイクロカプセル７の横方向に移動させる。これにより、磁気ディスプレイシート６の表側から見た場合に模様が消去されることになる。
【００２０】
３．使用の態様
（１）メッセージボードとして使用する場合
送り手側の人が磁気ペン３を使用し、磁気ディスプレイシート６にメッセージを書く。受け手側の人はメッセージを読んだら、磁気消し具４でそのメッセージを消去する。
（２）予定表として使用する場合
明日の予定等を磁気ペン３で磁気プレイシート６に書く。そして、不要となったら、磁気消し具４でそのメッセージを消去する。
【００２１】
４．効果
従来のメッセージ人形とは異なり、磁気ディスプレイシート６の裏側に消去用磁石を動かす機構やスペースを確保する必要はなくなる。その結果、製作工程が減少し低コスト化が図れる。
また、磁気ディスプレイシート６で人形の外郭の一部を構成しているので、人形５の外観を損ねることもなく、興趣性の高いメッセージ人形が実現できる。
【００２２】
（第２の実施形態）
１．全体構成
図６に示すように、第２の実施形態のメッセージ人形セット２０はメッセージ人形２２、描画具２３および消去具２４を備えている。このメッセージ人形セット２０が第１の実施形態のそれと異なる点は、第１に、磁気ディスプレイシート６が枠体３０によって保持されていること、第２に、描画具２３と消去具２４が別体となっていることである。以下、第１の実施形態との相違点を中心に説明する。なお、図面において第１の実施形態と同じ部分については同一符号を使用し、その説明は省略する。
【００２３】
２．細部構成
（１）メッセージ人形２２
メッセージ人形２２は座った状態で机等の上に載置可能となっている。
なお、ベース盤の上にメッセージ人形２２を付設するようにしてもよい。この場合にはベース盤によってメッセージ人形２２が支持されるので、メッセージ人形２２を安定的に設置することができる。また、ベース盤にメッセージ人形２２を付設することで、人形２５の姿態の構成の自由度を増すことができる。例えば、人形２５を横臥させたりすることも可能である。
また、人形２５は縫いぐるみであってもよいし、木、プラスチックや合成樹脂で構成されているものであってもよいことは第１の実施形態の場合と同様である。
【００２４】
（２）磁気ディスプレイシート６
磁気ディスプレイシート６の縁部には枠体３０が取り付けられている。この枠体３０は磁気ディスプレイシート６を張設するためのものである。
【００２５】
（３）描画具２３
描画具２３は図６に示すようにペン型に構成されている。この描画具２３は第１の実施形態の文具９から消去用の磁石４ａを取り除いた構造を持つ。
【００２６】
（４）消去具４
消去具２４は、図４に示すように、直方体で下端が開口された箱体２４ａに磁石２４ｂを嵌合した構造となっている。磁石２４ｂは棒状で箱体２４ａの長手方向にＮ極とＳ極が位置している。また、磁石２４ｂは箱体２４ａよりも窪んだ状態に設置されている。すなわち、箱体２４ｂの開口の縁部２４ｃは摺擦部を構成し、消去の際に磁石２４ｂを磁気ディスプレイシート６の表面と所定距離離間させるように機能する。
【００２７】
３．効果
従来のメッセージ人形とは異なり、磁気ディスプレイシート６の裏側に消去用磁石を動かす機構やスペースを確保する必要はなくなる。その結果、製作工程が減少し低コスト化が図れる。
また、消去具２４において、消去の際に磁気ディスプレイシート６の表面に沿ってＳ極とＮ極が並ぶので、磁気ディスプレイシート６の表面に沿う磁力線を効果的に利用することができる。
【００２８】
４．変形
以上の本発明の実施形態について説明したが、本発明は、かかる実施形態に限定されるものではなく、その要旨を逸脱しない範囲で種々変形が可能であることは言うまでもない。
【００２９】
例えば、第２の実施形態では、消去用磁石として円柱状の磁石２４ａを使用したが、好適には、磁気ディスプレイシート６の表面に沿って作用する磁力線を効果的に利用するため、厚さ寸法に比べて径の大きな磁石を使用する方がよい。
【００３０】
【発明の効果】
本発明の代表的なものの効果を説明すれば、油状液体、光吸収性強磁性粉、光反射性非磁性粉および沈降防止材を封入した多数のマイクロカプセルを有し、且つ磁石を持つ描画具によって表側から文字等の模様を描画可能で、しかも磁石を持つ消去具によって表側から前記模様を消去可能に構成された磁気ディスプレイシートを、人形に付設したので、製作工程が減少し低コスト化が図れることになる。
【図面の簡単な説明】
【図１】本発明の第１の実施形態に係るメッセージ人形セットの斜視図である。
【図２】図１に示したメッセージ人形セットにおける磁気ディスプレイシートの断面図である。
【図３】図１に示したメッセージ人形セットにおける文具の断面図である。
【図４】図１に示したメッセージ人形セットにおける消去用磁石の作用を説明するための断面図である。
【図５】図１に示したメッセージ人形セットにおけるマイクロカプセル中の光吸収性強磁性粉の挙動を示す正面図である。
【図６】本発明の第２の実施形態に係るメッセージ人形セットの斜視図である。
【図７】図６に示したメッセージ人形セットにおける描画具の断面図である。
【図８】図６に示したメッセージ人形セットにおける消去具の断面図である。
【符号の説明】
１、２０    メッセージ人形セット
２、２２    メッセージ人形
３、２３    描画具
４、２４    消去具
５、２５    人形
６          磁気ディスプレイシート
【図１】
2004194791.tif 000003
【図２】
2004194791.tif 000004
【図３】
2004194791.tif 000005
【図４】
2004194791.tif 000006
【図５】
2004194791.tif 000007
【図６】
2004194791.tif 000008
【図７】
2004194791.tif 000009
【図８】
2004194791.tif 000010
【手続補正書】
【提出日】平成16年3月15日(2004.3.15)
【手続補正１】
【補正対象書類名】明細書
【補正対象項目名】全文
【補正方法】変更
【補正の内容】
【特許請求の範囲】
【請求項１】油状液体、光吸収性強磁性粉、光反射性非磁性粉および沈降防止材を封入した多数のマイクロカプセルを有する表書き・表消し可能な磁気ディスプレイシートを付設した人形と、前記磁気ディスプレイシートに表側から文字等の模様を描画可能な磁石を持つ描画具と、前記模様を表側から消去可能な磁石を持つ消去具とを備え、前記消去具は前記描画具の後端部に一体化されて全体がペン型に構成され、前記消去具は、消去の際に前記磁気ディスプレイシートの表面に摺擦される摺擦部を有し、この摺擦部は、消去の際に消去用の前記磁石を前記ディスプレイシートと所定距離隔たるように位置させて、その消去用の前記磁石の磁力線が前記磁気ディスプレイシートの表面に沿うようにさせることを特徴とするメッセージ人形セット。
【請求項２】前記磁気ディスプレイシートは前記人形の外郭の一部を構成していることを特徴とする請求項１記載のメッセージ人形セット。
【請求項３】消去用の前記磁石は、消去の際にＮ極およびＳ極が前記磁気ディスプレイシートの表面に沿って並ぶように構成されていることを特徴とする請求項１又は２記載のメッセージ人形セット。
【発明の詳細な説明】
【０００１】
【発明の属する技術分野】
本発明は人形および人形セットに関するもので、さらに詳しくは、メッセージ等の伝達のために使用可能な人形および人形セットに係わるものである。
【０００２】
【従来の技術】
従来、光吸収性強磁性粉および光反射性非磁性粉を油状液体中に懸濁状態で封入した多数のマイクロカプセルを有する磁気ディスプレイシートが知られている（例えば、特許文献１）。また、油状液体中には沈降防止材が加えられている。この磁気ディスプレイシートは、磁石を持つ描画具によって表側から文字等の模様を描画可能で、そして、磁石を持つ消去具によって裏側から前記模様を消去可能に構成されている。
すなわち、この磁気ディスプレイシートでは、磁気ディスプレイシートの表面に描画具を擦りつけると、擦りつけた部分におけるマイクロカプセルの中の光吸収性強磁性粉がそのマイクロカプセルの最上部まで引き寄せられ、擦りつけた通りに表側に模様が形成される。また、表側に模様が描かれた磁気ディスプレイシートの裏面に消去具を擦りつけると、擦りつけた部分におけるマイクロカプセルの中の光吸収性強磁性粉がそのマイクロカプセルの最下部まで引き寄せられ、擦りつけた通りに表側の模様が消去される。
以上のように構成された磁気ディスプレイシートと消去具とを人形の腹部に設けたメッセージ人形や、これに描画具を加えたメッセージ人形セットがイギリスにて販売されている（例えば、非特許文献１）。
【０００３】
【特許文献１】
特開２０００−１１８１８９号公報
【非特許文献１】
ＴＯＭＹ  Ｕ．Ｋ．カタログ２００２
【０００４】
【発明が解決しようとする課題】
しかしながら、このメッセージ人形にあっては、消去用磁石を磁気ディスプレイシートの裏側で動かす機構と消去用磁石を動かすスペースを確保することが必要となる。
【０００５】
本発明は、かかる問題点に鑑みなされたもので、製作が容易なメッセージ人形セットを提供することを課題とする。
【０００６】
【課題を解決するための手段】
かかる課題を達成するために、本発明者等は、磁気ディスプレイシートのマイクロカプセルについて研究を行ったところ、油状液体の粘度や沈降防止材の量は光吸収性強磁性粉の磁力による挙動や沈降時間を決定する要因であり、油状液体の粘度を低減させたり、沈降防止材の量を低減させることにより、表書きは勿論のこと、表消しもできることを見いだした。そして、表消しをするためには、磁気ディスプレイシートの表面に対して消去用の磁石を離したまま（磁気ディスプレイシートの表面と消去用の磁石との間にクリアランスを形成したまま）で当該磁石を動作させることが有効であることがわかった。
【０００７】
本発明は、かかる知見に基づくものであり、請求項１記載のメッセージ人形は、油状液体、光吸収性強磁性粉、光反射性非磁性粉および沈降防止材を封入した多数のマイクロカプセルを有する表書き・表消し可能な磁気ディスプレイシートを付設した人形と、前記磁気ディスプレイシートに表側から文字等の模様を描画可能な磁石を持つ描画具と、前記模様を表側から消去可能な磁石を持つ消去具とを備え、前記消去具は前記描画具の後端部に一体化されて全体がペン型に構成され、前記消去具は、消去の際に前記磁気ディスプレイシートの表面に摺擦される摺擦部を有し、この摺擦部は、消去の際に消去用の前記磁石を前記ディスプレイシートと所定距離隔たるように位置させて、その消去用の前記磁石の磁力線が前記磁気ディスプレイシートの表面に沿うようにさせることを特徴とする。
【０００８】
このメッセージ人形セットによれば、描画具によって磁気ディスプレイシートの表側から文字等の模様を描くことによってメッセージを作成し、不要となったメッセージを消去具によって表側から消去できる。したがって、従来のメッセージ人形セットとは異なり、磁気ディスプレイシートの裏側に消去用磁石を動かす機構やスペースを確保する必要はなくなる。その結果、製作工程が減少し低コスト化が図れることになる。
また、このメッセージ人形セットによれば、磁気ディスプレイシートの表面に摺擦部を摺擦することにより、模様を簡単に消去できる。
さらに、このメッセージ人形セットによれば、描画具と前記消去具は一体化され、全体がペン型となっているため、取り扱いが容易である。
【０００９】
請求項２記載のメッセージ人形セットは、請求項１記載のメッセージ人形セットにおいて、前記磁気ディスプレイシートは前記人形の外郭の一部を構成していることを特徴とする。ここで「外郭」とは人形の身体のみならず、服飾物をも含む。以下、同様である。
【００１０】
従来のメッセージ人形セットにあっては、磁気ディスプレイシートに描かれた文字等の模様を消去するには磁気ディスプレイシートの裏面に摺擦するように磁石を動かす必要があることから、枠体に磁気ディスプレイシートを張設することにより、磁気ディスプレイシートの裏面が平面となるように構成していた。これに対して、表消しが可能な磁気ディスプレイシートにあっては、かかる制限はないので、磁気ディスプレイシートで人形の外郭の一部を構成することができる。
その結果、人形の外観を損ねることもないので、興趣性の高いメッセージ人形セットが実現できる。
【００１１】
請求項３記載のメッセージ人形セットは、請求項１又は２記載のメッセージ人形セットにおいて、消去用の前記磁石は、消去の際にＮ極およびＳ極が前記磁気ディスプレイシートの表面に沿って並ぶように構成されていることを特徴とする。
【００１２】
このメッセージ人形セットによれば、消去の際にＮ極およびＳ極が前記磁気ディスプレイシートの表面に沿って並ぶように構成されているので、模様の消去が容易である。
【００１３】
【発明の実施の形態】
（第１の実施形態）
１．全体構成
図１に示すように、第１の実施形態のメッセージ人形セット１はメッセージ人形２、描画具３および消去具４を備えている。そして、このメッセージ人形セット１では、枠体を有しない表書き・表消し可能な磁気ディスプレイシート６がそのまま人形５の腹部に取り付けられている。また、描画具３と消去具４は一体化され、全体がペン型の文具９として構成されている。
【００１４】
２．細部構成
（１）メッセージ人形２
メッセージ人形２は人形５に磁気ディスプレイシート６を取り付けたものである。この場合の人形５は縫いぐるみであってもよいし、木、プラスチックや合成樹脂で構成されているものであってもよい。
また、メッセージ人形２は机等の上に壁に凭せ掛けた状態で設置されるようになっているが、例えば、壁に凭せ掛けることなく机等の上に載置できたり、壁等に吊り下げられるようなものであってもよい。
【００１５】
（２）磁気ディスプレイシート６
磁気ディスプレイシート６は、図２に示すように、光吸収性強磁性粉７ａおよび光反射性非磁性粉７ｂを油状液体中に懸濁状態で封入した多数のマイクロカプセル７を有している。マイクロカプセル７中には沈降防止材も封入されている。この多数のマイクロカプセル７は保護シート８、９によって挟持されている。そして、保護シート８、９の縁部同士は高周波ウェルダ等によって接着されている。ここで、上側の保護シート９は透光性を有している。
この磁気ディスプレイシート６は表書き・表消しが可能となるように、油状液体の粘度および沈降防止材の量等が調整されている。例えば、従来の表書き・裏消しの磁気ディスプレイシートに比べて、油状液体の粘度を低くするとともに、沈降防止材の量を少なくしている。こうすることで、マイクロカプセル７中の磁性粉（光吸収性強磁性粉７ａ）をカプセル中で満遍なく拡散させることができる。そして、描画の際には、光吸収性強磁性粉がマイクロカプセル７中の最上部まで引き付けられないようにしている。
【００１６】
（３）文具９
1)描画具３
図３に示すように、描画具３は描画用の磁石となる芯材３ａを備えている。この場合の磁石としては、特に限定はされないが、ネオジウム・鉄・ボロンの合金で作ったネオジウム系磁石や、サマリウムという希土類元素とコバルトの合金で作った磁石や、プラセオジウムを使った希土類磁石等が使用される。これらの磁石で芯材３ａを構成すれば、細線でも鮮明に表示させることが可能となる。
また、芯材３ａはスプリング３ｂによってペン先方向へ付勢されている。そして、これによって描画の際に磁気ディスプレイシート６に過度の力が作用しないようにされている。
【００１７】
2)消去具４
消去具４は円柱状の磁石４ａを備えている。磁石４ａは軸９ａの後端部に設置されている。また、軸９ａの後端にはカバー９ｂが付設され、磁石４ａが露出しないようにされている。このカバー９ｂは、模様の消去の際に磁気ディスプレイシート６の表面に摺擦されるもので、消去の際に磁石４ａを磁気ディスプレイシート６の表面と所定距離離間させるように機能する。このように構成した理由は下記の通りである。
磁気ディスプレイシート６の表側に形成された模様を消去する場合、図４に示すように、磁気ディスプレイシート６の表面に直交する方向に向かう磁力線ではなく、磁気ディスプレイシート６の表面に沿う磁力線が有効である。つまり、図５（ａ）に示すように所定上部（最上部ではない）まで移動し模様を形成している層を構成する光吸収性強磁性粉７ａを、特に水平方向の磁界によって、同図（ｂ）に示すようにマイクロカプセル７の横方向に移動させる。これにより、磁気ディスプレイシート６の表側から見た場合に模様が消去されることになる。
【００１８】
３．使用の態様
（１）メッセージボードとして使用する場合
送り手側の人が描画具３を使用し、磁気ディスプレイシート６にメッセージを書く。受け手側の人はメッセージを読んだら、磁気消去具４でそのメッセージを消去する。
（２）予定表として使用する場合
明日の予定等を描画具３で磁気プレイシート６に書く。そして、不要となったら、磁気消去具４でそのメッセージを消去する。
【００１９】
４．効果
従来のメッセージ人形とは異なり、磁気ディスプレイシート６の裏側に消去用磁石を動かす機構やスペースを確保する必要はなくなる。その結果、製作工程が減少し低コスト化が図れる。
また、磁気ディスプレイシート６で人形の外郭の一部を構成しているので、人形５の外観を損ねることもなく、興趣性の高いメッセージ人形が実現できる。
【００２０】
（参考例）
１．全体構成
図６に示すように、参考例のメッセージ人形セット２０はメッセージ人形２２、描画具２３および消去具２４を備えている。このメッセージ人形セット２０が第１の実施形態のそれと異なる点は、第１に、磁気ディスプレイシート６が枠体３０によって保持されていること、第２に、描画具２３と消去具２４が別体となっていることである。以下、第１の実施形態との相違点を中心に説明する。なお、図面において第１の実施形態と同じ部分については同一符号を使用し、その説明は省略する。
【００２１】
２．細部構成
（１）メッセージ人形２２
メッセージ人形２２は座った状態で机等の上に載置可能となっている。
なお、ベース盤の上にメッセージ人形２２を付設するようにしてもよい。この場合にはベース盤によってメッセージ人形２２が支持されるので、メッセージ人形２２を安定的に設置することができる。また、ベース盤にメッセージ人形２２を付設することで、人形２５の姿態の構成の自由度を増すことができる。例えば、人形２５を横臥させたりすることも可能である。
また、人形２５は縫いぐるみであってもよいし、木、プラスチックや合成樹脂で構成されているものであってもよいことは第１の実施形態の場合と同様である。
【００２２】
（２）磁気ディスプレイシート６
磁気ディスプレイシート６の縁部には枠体３０が取り付けられている。この枠体３０は磁気ディスプレイシート６を張設するためのものである。
【００２３】
（３）描画具２３
描画具２３は図７に示すようにペン型に構成されている。この描画具２３は第１の実施形態の文具９から消去用の磁石４ａを取り除いた構造を持つ。
【００２４】
（４）消去具２４
消去具２４は、図８に示すように、直方体で下端が開口された箱体２４ａに磁石２４ｂを嵌合した構造となっている。磁石２４ｂは棒状で箱体２４ａの長手方向にＮ極とＳ極が位置している。また、磁石２４ｂは箱体２４ａよりも窪んだ状態に設置されている。すなわち、箱体２４ｂの開口の縁部２４ｃは摺擦部を構成し、消去の際に磁石２４ｂを磁気ディスプレイシート６の表面と所定距離離間させるように機能する。
【００２５】
３．効果
従来のメッセージ人形とは異なり、磁気ディスプレイシート６の裏側に消去用磁石を動かす機構やスペースを確保する必要はなくなる。その結果、製作工程が減少し低コスト化が図れる。
また、消去具２４において、消去の際に磁気ディスプレイシート６の表面に沿ってＳ極とＮ極が並ぶので、磁気ディスプレイシート６の表面に沿う磁力線を効果的に利用することができる。
ただし、この参考例では、描画具２３と消去具２４とが一体化されていないので、一体化した場合のメリットは失われる。
【００２６】
４．変形
以上の本発明の実施形態について説明したが、本発明は、かかる実施形態に限定されるものではなく、その要旨を逸脱しない範囲で種々変形が可能であることは言うまでもない。
【００２７】
例えば、第１の実施形態では、消去用磁石として円柱状の磁石４ａを使用したが、好適には、磁気ディスプレイシート６の表面に沿って作用する磁力線を効果的に利用するため、厚さ寸法に比べて径の大きな磁石を使用する方がよい。
【００２８】
【発明の効果】
本発明の代表的なものの効果を説明すれば、本発明のメッセージ人形セットによれば、製作工程が減少し低コスト化が図れることになる。また、磁気ディスプレイシートの表面に摺擦部を摺擦することにより、模様を簡単に消去できる。さらに、描画具と前記消去具は一体化され、全体がペン型となっているため、取り扱いが容易である。
【図面の簡単な説明】
【図１】本発明の第１の実施形態に係るメッセージ人形セットの斜視図である。
【図２】図１に示したメッセージ人形セットにおける磁気ディスプレイシートの断面図である。
【図３】図１に示したメッセージ人形セットにおける文具の断面図である。
【図４】図１に示したメッセージ人形セットにおける消去用磁石の作用を説明するための断面図である。
【図５】図１に示したメッセージ人形セットにおけるマイクロカプセル中の光吸収性強磁性粉の挙動を示す正面図である。
【図６】本発明の参考例に係るメッセージ人形セットの斜視図である。
【図７】図６に示したメッセージ人形セットにおける描画具の断面図である。
【図８】図６に示したメッセージ人形セットにおける消去具の断面図である。
【符号の説明】
１、２０    メッセージ人形セット
２、２２    メッセージ人形
３、２３    描画具
４、２４    消去具
５、２５    人形
６          磁気ディスプレイシート